(57)【要約】      （修正有）【課題】局部過熱も受けることを無くし低温火傷の虞の少ない敷きふとん形態の電気温熱家庭用治療器を提供する。【解決手段】上面にクッション固綿５、下面に断熱固綿６、これら上下固綿に挟んで面発熱体７を装置して全面を織布で被包して敷きふとん形態に構成し、面発熱体が発する電気熱で温熱治療をする家庭用治療器において、上面クッション固綿にうねり皺加工を施し繊維を立て、且つ幅方向に山部と谷部を形成しクッション固綿のへたりを可及的に少なくした。【選択図】図２
2016083212.tif 000002
【特許請求の範囲】
【請求項１】
全体が、上面にクッション固綿、下面に断熱固綿、これら上下固綿に挟んで面発熱体を装置して全面を織布で被包して敷きふとん形態に構成し、面発熱体が発する電気熱で温熱治療をする家庭用治療器において、上面クッション固綿にうねり皺加工を施し固綿の繊維を立て、幅方向に山部と谷部を形成したことを特徴とする敷きふとん形態の電気温熱家庭用治療器。
【発明の詳細な説明】
【技術分野】
【０００１】
本発明は、面発熱体を装置してなる敷きふとん形態のものに横臥して、面発熱体の発する電気熱で温熱治療する電気温熱家庭用治療器である。
【従来技術】
【０００２】
敷きふとん形態の電気温熱家庭用治療器はその形態から就寝用に使用される場合が多い。その場合泥酔状態の人、睡眠薬を服用した人、身体が不自由な人、高齢な人など身体が動かない人が長時間に亘って温熱治療をすると低温火傷をする虞がある。
【０００３】
つまり、従来のこの種治療器は、単に通常の綿ふとんに面発熱体を装置しただけであり、使用者が横臥したときの加重で面発熱体と人肌が近接する。そのため局部過熱を受けて低温火傷をする虞があった。
【０００４】
また、従来のものは、クッションとしての綿繊維が横からみのものが積み重ねられたものであったため、短期間の使用でへたり面発熱体と人肌が近接するため局部過熱を受け、使用者自身で身動きがとれない人は過熱温度で低温火傷をおこす虞があった。
【発明の概要】
【発明が解決しようとする課題】
【０００５】
本発明は、上面にポリエステル等クッション固綿、下面にポリエステル等断熱固綿に挟さんで面発熱体を装置して、全面をポリエステル等織布で被包してなる敷きふとん形態の電気温熱家庭用治療器において、面発熱体の電気熱で温熱治療をするとき、治療温度は４０℃以上６０℃以下とＪＩＳ規格で決められた高い温度であるため、就寝用に長時間横臥したとき低温火傷をする虞がある。そこで面発熱体の上面に装置するクッション固綿のへたりを可及的に少なくし、また局部過熱も受けることを無くして低温火傷の虞の少ない敷きふとん形態の電気温熱家庭用治療器を提供しようとするものである。
【課題を解決するための手段】
【０００６】
全体が、上面にクッション固綿、下面に断熱固綿、これら上下固綿に挟んで面発熱体を装置して全面を織布で被包して敷きふとん形態に構成し、面発熱体が発する電気熱で温熱治療をする家庭用治療器において、上面クッション固綿にうねり皺加工を施し固綿の繊維を立て、幅方向に山部と谷部を形成したことを特徴とするものである。
【発明の作用・効果】
【０００７】
本発明は、面発熱体に感熱線やサーミスタ等の温度センサーを装置して、該温度センサーからの温度変化に応じて変化するインピーダンス等の電気信号をコントローラー側で受けて、コントローラーに装置したマイコンのソフトで敷きふとんの表面が４０℃以上６０℃以下の治療温度に設定されるように構成されている。
【０００８】
このように温熱治療器としての機能を敷きふとんに装置したことにより、就寝用に使用されることもあり、寝ながら温熱治療を受けることも多くある。長時間治療したとき治療温度が４０℃以上と高いためクッション固綿がへたったり、横臥した使用者の加重で人肌が面発熱体に接近すると、面発熱体はクッション固綿の熱ロス分、敷きふとん表面設定治療温度より４℃ないし５℃高く温度制御していることから、より低温やけどの虞が多くなる。
【０００９】
そこでクッション固綿にうねり皺加工を施し固綿の繊維を立てることにより、永年の使用にもへたりが無く、又うねり皺によって積極的に谷部を形成することにより空気の流動によって熱が分散して局部過熱がなく、低温火傷の虞のない敷きふとん形態の電気温熱家庭用治療器を提供するものである。
【００１０】
本発明は、面発熱体にサーミスタや感熱線等の温度センサーを装置して、該温度センサーから送られてくる温度に応じて変化するインピーダンス等の変化で生じる電気信号をコントローラー側で受け止めて、コントローラーに装置したマイコンのソフトで、敷きふとんの表面が４０℃以上６０℃以下の治療温度になるように設定されている。
【００１１】
面発熱体は上面にポリエステル等のクッション固綿、下面にポリエステル等の断熱固綿で挟まれ接着されて装置されており、外表面部をポリエステル生地で被包して敷きふとん形態に形成される。  
【００１２】
この場合、クッション固綿は長手方向に圧縮されて、幅方向に凹凸のうねり皺が形成されている。うねり皺の形成により綿の繊維は立てに絡み合うとともに、蛇行する山部と谷部が形成される。
【００１３】
固綿の繊維が立てに絡み合うことにより、使用者が横臥したときの加圧に対しては強く、クッション性能は良くなるとともに、永年の使用においてもへたりがしなくなる。また、蛇行する谷部の形成により、谷部に空気流路が形成されることから、使用者が横臥したときの断熱過熱は谷部の空気の流動により放熱されることから、局部過熱部は緩和され低温火傷の虞もなくなる。尚山部、谷部は蛇行することなく直線状にしてもよい。
【図面の簡単な説明】
【００１４】
【図１】図１は敷きふとん形態の電気温熱家庭用治療器本体斜視図
【図２】図２は本体の内部構成分解斜視図
【図３】図３は上部クッション固綿拡大斜視図
【図４】図４は上部クッション固綿拡大断面図
【実施例】
【００１５】
本発明の一実施例を図面に基づいて説明する。図１は敷きふとん形態の電気温熱家庭用治療器の全体外観を示す斜視図で、１ｍ幅の２ｍ長さ、厚さ５ｃｍの敷きふとん本体１と、この本体１の上部角に取り付けられたコントローラー２からなっている。
【００１６】
敷きふとん本体１は、図２に示すようにその構造はポリエステル生地からなる表外皮３、裏外皮４に被包されて、内部にクッション固綿５、断熱固綿６、これら固綿５，６に挟装接着されて面発熱体７が装置されている。面発熱体７は図示しない両側に電極を織り込んだ布にカーボン導電塗料を塗布して、全面を塩ビ電気絶縁して形成されている。この面発熱体７にはサーミスタ８…がリード線９により装置され、コントローラー２に電気接続されている。
【００１７】
これにより、面発熱体７への通電によって発熱する温度は、サーミスタ８…の温度センサーにより変化する電気信号をコントローラー２に装置されたマイコンソフトで制御されて、敷きふとん本体１の表面治療温度４０℃〜６０℃範囲の任意温度に設定される。サーミスタ８…は感熱線等温度センサーにても同様に動作する。
【００１８】
上記クッション固綿５、断熱固綿６は、多くはポリエステル固綿が用いられている。クッション固綿５は図３、図４に拡大して示されるように、長手方向に波形状のうねり皺１０…が形成され、幅方向に、長手方向に蛇行する凹凸の畝、すなわち山部１１…、谷部１２…が形成される。山部１１…はうねり皺１０…により、図４に断面にて示されるように綿の繊維イ…が立ち方向にからみ並べられる。
【００１９】
山部１１…は綿の繊維イ…が立つことによって、使用者が横臥したときにかかる下方向Aの加重に対して強い支え作用となりクッションとなるとともに、綿のへたりに対しても強くなる。また、山部１１…が蛇行することにより、斜方向Bの加重に対しても強く、へたり難くなる。谷部１２…は面発熱体７の加熱流動路となり、使用者が横臥したときに生じる局部過熱を防止する。なお、図示の１３は上部クッション固綿５の上表面にニードルパンチでクッション固綿５にからみ張り合わされたポリエステルメッシュ生地でありクッション固綿５の崩れを防ぎ山部１１、谷部１２の形崩れを防止する。
【００２０】
以上の構成により、上部クッション固綿を幅方向に長手方向に蛇行する山部、谷部を形成したことによって山部の綿の繊維が立つため、加重に強い反発力を持ちへたり難くなる。また、蛇行する谷部により、長い空気流動路が形成されることから使用者が横臥することにより起こりうる局部過熱が防止され、低温火傷の事故を未然に防ぐことができる。
【符号の説明】
【００２１】
１は敷きふとん本体
２はコントローラー
５はクッション固綿
７は面発熱体
１０はうねり皺
１１は山部
１２は谷部
イは固綿の繊維
【図１】
2016083212.tif 000003
【図２】
2016083212.tif 000004
【図３】
2016083212.tif 000005
【図４】
2016083212.tif 000006